(57)【要約】【課題】遮光状態への切り替えを瞬時に行う。【解決手段】一眼レフ型電子カメラ１０は、被写体像を撮像部２１で撮像させるミラーアップ位置と、焦点板１７に結像させるミラーダウン位置との間で移動するメインミラー１３を備える。焦点板１７の下には、撮像部２１で撮像したスルー画像を表示するシースルー表示部１６が設けられている。シースルー表示部１６とメインミラー１３との間には、画面の一部又は全部を透過状態から不透過状態に瞬時に切り換え可能な透過型液晶表示部１５が配置されている。透過型液晶表示部１５は、メインミラー１３がミラーアップ位置の時に遮光状態を生成してファインダ接眼窓３６からスルー画像が見え難くなることを防止する。【選択図】図１
2013054232.tif 000002
【特許請求の範囲】
【請求項１】
撮影レンズを通る被写体光を撮像部の撮像面に結像させるミラーアップ位置と、ファインダ光路上のうちの前記撮像面に共役な焦点面に結像させるミラーダウン位置との間で移動するメインミラーを備えた一眼レフ型電子カメラにおいて、
前記焦点面又はその近傍に配置され、前記メインミラーがミラーアップ位置の時に、前記撮像部で撮像した被写体画像を表示するシースルー表示部と、
前記メインミラーと前記シースルー表示部との間に配置されており、前記メインミラーがミラーアップ位置の時に、画面の一部又は全部を透過状態から不透過状態に電気的に切り替える遮光用表示部と、
を備えたことを特徴とする一眼レフ型電子カメラ。
【請求項２】
請求項１に記載の一眼レフ型電子カメラにおいて、
前記遮光用表示部は、前記メインミラーがミラーダウン位置の時に、前記焦点面に結像する被写体像に重なったファインダ接眼窓から視認されるように、各種情報を表示することを特徴とする一眼レフ型電子カメラ。
【発明の詳細な説明】
【技術分野】
【０００１】
本発明は、一眼レフ型電子カメラに関し、更に詳しくは、クイック・リターンミラーを備えた一眼レフ型電子カメラに関するものである。
【背景技術】
【０００２】
従来、撮像素子で撮像した画像をファインダ接眼窓から視認することができる一眼レフカメラが知られている（特許文献１）。特許文献１に記載の発明では、撮像素子で撮像した画像を焦点板に表示する透過型のＥＬ（エレクトロルミネッセンス）装置を備えている。ＥＬ装置は、クイック・リターンミラー（メインミラー）が撮影レンズの光路に挿入されるミラーダウン時に、撮影レンズにより結像する被写体像（実像）を透過させ、また、メインミラーが前記光路から退避するミラーアップ時には撮像素子で撮像した画像をＥＬ装置に表示する。
【０００３】
ＥＬ装置が画像を表示している時には、メインミラーがミラーアップしている。このため、透過型のＥＬ装置の下にメインミラーの反射面が存在する。透過型のＥＬ装置は、僅かながら光が表示側とは逆のメインミラー側に漏れる。このため、ファインダ接眼窓から視認されるＥＬ装置の表示画像は、漏光がメインミラーの反射面により反射してＥＬ装置の表示画像に重なるため、観察し難くなる。そこで、特許文献１に記載の発明では、ＥＬ装置の下に遮光幕を設けている。遮光幕は、メインミラーがミラーアップすることに連係してＥＬ装置の下側に引き出され、またメインミラーがミラーダウンすることに連係してＥＬ装置の下側から退避する。
【先行技術文献】
【特許文献】
【０００４】
【特許文献１】特開２００７−３３７０１号公報
【発明の概要】
【発明が解決しようとする課題】
【０００５】
しかしながら、特許文献１に記載の発明では、メインミラーと遮光幕との移動を連係させる機構が必要になるため、カメラボディが大型化するおそれがある。しかも、その機構自体が複雑になり、コストも高く付く。さらに、遮光幕の引き出し、及び巻き込みに時間がかかる欠点がある。
【０００６】
本発明は、上記事情に鑑みてなされたものであり、瞬時に遮光することができる一眼レフ型電子カメラをローコスト、かつコンパクトに提供することを目的とする。
【課題を解決するための手段】
【０００７】
本発明を例示する一眼レフ型電子カメラの一態様は、撮影レンズを通る被写体光を撮像部の撮像面に結像させるミラーアップ位置と、ファインダ光路上のうちの前記撮像面に共役な焦点面に結像させるミラーダウン位置との間で移動するメインミラーと、前記焦点面又はその近傍に配置され、前記メインミラーがミラーアップ位置の時に、前記撮像部で撮像した被写体画像を表示するシースルー表示部と、前記メインミラーと前記シースルー表示部との間に配置されており、前記メインミラーがミラーアップ位置の時に、画面の一部又は全部を透過状態から不透過状態に電気的に切り替える遮光用表示部と、を備えたものである。
【０００８】
遮光用表示部としては、メインミラーがミラーダウン位置の時に、前記焦点面に結像する被写体像に重なったファインダ接眼窓から視認されるように、各種情報、例えばフォーカスエリアのマークや、露出値等の情報を表示してもよい。遮光用表示部として透過型液晶表示部を使用する場合には、各種情報を表示するドット領域が不透過領域になり、それ以外が透過領域になる。
【発明の効果】
【０００９】
本発明の一眼レフ型電子カメラによれば、遮光用表示部を非遮光状態から遮光状態に瞬時に切り替えることができる。しかも、メカ機構を必要しないため、ローコスト、かつコンパクトで達成することができる。
【図面の簡単な説明】
【００１０】
【図１】本発明の一実施形態である一眼レフ型電子カメラの概略を示すブロック図である。
【図２】一眼レフ型電子カメラの静止画撮影モードの動作手順を示すフローチャートである。
【図３】一眼レフ型電子カメラのファインダ接眼窓から覗いたファインダ視野を示す説明図である。
【図４】静止画撮影モードのうちのＥＶＦモードを選択した時の動作手順を示すフローチャートである。
【００１１】
【図５】一眼レフ型電子カメラの動画撮影モードの動作手順を示すフローチャートである。
【発明を実施するための最良の形態】
【００１２】
本発明の一態様を例示する一眼レフ型電子カメラ１０は、交換可能な撮影レンズ１１、絞り１２、メインミラー１３、サブミラー１４、透過型液晶表示部（遮光用表示部）１５、透過型ＥＬ（シースルー表示部）１６、焦点板１７、ペンタプリズム１８、接眼レンズ１９、シャッタ２０、撮像部２１、レンズ駆動機構２２、絞り駆動機構２３、ミラー駆動機構２４、測距部２５、シャッタ駆動機構２６、Ａ／Ｄ２７、画像処理部２８、記録部２９、操作部３０、文字発生器３１、ＥＬ表示制御部３２、液晶表示制御部３３、及び測光部３４等を備えており、これらは制御部３５により統括的に制御されている。レンズ駆動機構２２は、撮影レンズ１１を光軸方向に移動して被写体にピントを合わせる。
【００１３】
ミラー駆動機構２４は、撮影レンズ１１を通る被写体光を撮像部２１の撮像面に結像させるミラーアップ位置と、ファインダ光路上のうちの前記撮像面と共役な焦点面に配置されている焦点板１７に結像させるミラーダウン位置との間でメインミラー１３を移動させる。
【００１４】
透過型ＥＬ１６は、厚みの薄い透光性を有する自己発光型の有機ＥＬ（Electro Luminescence）パネルで構成されている。この透過型ＥＬ１６は、焦点板１７の裏面に表面が密着して固定されており、メインミラー１３がミラーアップ位置の時に、撮像部２１で撮像したカラーの被写体画像（スルー画像）を焦点板１７に表示する。なお、透過型ＥＬ１６としては、透光性を有するカラー液晶表示部等のシースルー表示部でもよい。
【００１５】
また、透過型ＥＬ１６を構成するキャップガラス、又はガラス基板にノングレア処理を施して被写体像をキャップガラス、又はガラス基板に結像させるようにしてもよい。この場合には、キャップガラス、又はガラス基板が焦点面に位置するよう透過型ＥＬ１６を固定すればよいので、焦点板１７を省略することができる。
【００１６】
透過型液晶表示部１５は、白黒液晶になっており、メインミラー１３と透過型ＥＬ１６との間、好ましくは透過型ＥＬ１６の裏面に表面が密着する位置で固定され、非表示の時に画面が透明になる。この透過型液晶表示部１５は、メインミラー１３がミラーアップ位置の時に、画面を黒色表示にして不透過（遮光）状態に切り換わる。
【００１７】
撮像部２１は、被写体像を撮像して画像データをＡ／Ｄ２７に送出する。Ａ／Ｄ２７は、画像データをデジタル信号に変換して画像処理部２８に送る。画像処理部２８は、画像データに対して種々の画像処理を施して、記録用画像データを生成して記録部２９に送出する。記録部２９は、記録用画像データを記録する。
【００１８】
操作部３０には、電源スイッチ、レリーズボタン、及びモード切替操作部等を備えている。モード切替操作部は、静止画撮影モード、及び動画撮影モードを選択するための操作部である。また、静止画撮影モードには、スルー画像をファインダ接眼窓３６から視認するＥＶＦ（Electronic View Finder）モードを選択することができる。これを選択する時にもモード切替操作部を使用する。動画撮影モードでは、ＥＶＦモードと同じに、スルー画像及び記録画像をファインダ接眼窓３６から視認しながら撮影する。
【００１９】
メインミラー１３は、一部がハーフミラーになっている。サブミラー１４は、ハーフミラーから入射する被写体光束を反射して測距部２５に導く。測距部２５は、入射する被写体光束から位相差信号を検出し、位相差信号を被写体距離に対するデフォーカス量として制御部３５に送る。制御部３５は、デフォーカス量に基づいてレンズ駆動機構２２を制御して撮影レンズ１１を合焦位置に移動する。なお、サブミラー１４は、メインミラー１３のミラーアップ位置への移動に連動して光軸から退避する。
【００２０】
測光部３４は、焦点板１７に結像又は表示される被写体像又はスルー画像を測光し、測光した結果得られる輝度値を被写体輝度情報として制御部３５に送る。制御部３５は、被写体輝度情報と予め設定されているＩＳＯ感度とに基づいて光値を算出し、算出した光値になるように露出値（シャッタ速度、及び絞り値）を決める。
【００２１】
制御部３５は、メインミラー１３がミラーダウン位置の時に、フォーカスエリアのマークを透過型液晶表示部１５に表示する。また、制御部３５は、その時点の撮影情報、例えばシャッタ速度や絞り値等の情報を収集し、これら情報に基づいて文字発生器３１で文字画像を生成し、それら文字画像を透過型液晶表示部１５に表示するように制御する。これにより、前記マークや種々の情報を表す文字や数字が被写体像に重ねてファインダ接眼窓３６から視認される。なお、フォーカスエリアのマークの表示位置は、測距部２５で測距する位置にそれぞれ対応付けされている。
【００２２】
制御部３５は、メインミラー１３がミラーアップ位置の時に、フォーカスエリアのマークや種々の情報を表す文字をスルー画像に重畳して透過型ＥＬ１６に表示する。このとき、透過型ＥＬ１６は、カラー表示が行えるため、合焦しているフォーカスエリアのマークを他のフォーカスエリアのマークに対して異なる色で表示する。
【００２３】
また、制御部３５は、メインミラー１３がミラーダウン位置の時に、合焦しているフォーカスエリアのマークを透過型ＥＬ１６に色を変えて表示する。このとき、制御部３５は、透過型液晶表示部１５に表示するフォーカスエリアのマークのうち、透過型ＥＬ１６で表示する合焦用のフォーカスマークと同じ位置のマークを消して表示するように透過型液晶表示部１５を制御する。
【００２４】
次に上記構成の作用を説明する。まず、静止画撮影モードを選択した場合について説明する。制御部３５は、図２に示すように、ＥＶＦモードが選択されているか否かを確認する（Ｓ−１）。ＥＶＦモードが選択されていない場合、同図に示すように、シャッタが閉じ位置にセットされているか（Ｓ−２）、また、メインミラーがミラーダウン位置にセットされているか（Ｓ−３）を順に確認する。どちらもセットされていない場合には閉じ位置、及びミラーダウン位置にそれぞれ強制的にセットする。
【００２５】
その後、制御部３５は、透過型ＥＬ１６の非表示を維持するとともに（Ｓ−４）、透過型液晶表示部１５にフォーカスエリアのマークを表示するよう制御する（Ｓ−５）。これにより、透過型液晶表示部１５は、前記マークを表示するドット領域のみが不透過状態になり、前記ドット領域以外の領域が透過状態になる。
【００２６】
撮影窓３７を通り撮影レンズ１１によって結像する被写体像は、ミラーダウン位置にセットされているメインミラー１３で反射された後に、透過型液晶表示部１５、及び透過型ＥＬ１６を順に透過して焦点板１７に結像する。焦点板１７に結像する被写体像は、ペンタプリズム１８を透過して正立像に変換され、接眼レンズ１９により拡大してファインダ接眼窓３６から観察される。このとき、ファインダ視野３９には、図３に示すように、透過型液晶表示部１５に表示したフォーカスエリアのマーク３８が被写体像に重ねて視認される。
【００２７】
制御部３５は、レリーズボタンの半押し操作を監視し（Ｓ−６）、半押し操作が行われることに応答して、撮影準備動作を実行する（Ｓ−７）。撮影準備動作は、測距部２５、及び測光部３４を駆動し、測距部２５から得られるデフォーカス量に基づいてレンズ駆動機構２２を制御して撮影レンズ１１を合焦位置に移動する。
【００２８】
このとき、制御部３５は、合焦しているフォーカスエリアのマークを透過型ＥＬ１６に色を変えて表示する。そして、制御部３５は、透過型液晶表示部１５を制御して、透過型液晶表示部１５に表示するフォーカスエリアのマーク３８のうち、透過型ＥＬ１６で表示したと同じ位置にあるフォーカスエリアのマークを消して表示する。
【００２９】
また、制御部３５は、測光部３４から得られる信号に基づいて被写体輝度を算出し、算出した被写体輝度とその時点で設定されているＩＳＯ感度とに基づいて光値を求め、求めた光値になるようにシャッタ速度と絞り値を決定し、決定した絞り値になるように絞り駆動機構２３を介して絞り１２を制御する。
【００３０】
また、制御部３５は、決定したシャッタ速度と絞り値との撮影情報を透過型液晶表示部１５に表示するよう液晶表示制御部３３を制御する（Ｓ−８）。これにより、ファインダ接眼窓３６からは、フォーカスエリアのマーク３８に加えて撮影情報、例えばシャッタ速度を表す「１／１０００」、及び絞り値を表す「Ｆ５．６」との英数字４０の画像が被写体像に重ねて視認される（図３参照）。
【００３１】
制御部３５は、半押し操作の状態からそのまま全押し操作（撮影指示操作）が行われることを監視し（Ｓ−９）し、全押し操作が行われることに応答して、撮影動作が行われる（Ｓ−１０）。撮影動作は、メインミラー１３を一瞬、ミラーアップ位置に移動させる跳上げ動作が行われるようミラー駆動機構２４を制御し、そして、この間に、決定したシャッタ速度に基づいてシャッタ２０を駆動する動作である。シャッタ２０の開閉の間に撮像部２１は、被写体像を撮像する。撮像部２１で取得した画像データは、Ａ／Ｄ２７を介して画像処理部２８に送られ、ここで種々の画像処理が施されてから、記録用画像データとして記録部２９に記録される（Ｓ−１１）。
【００３２】
ＥＶＦモードは、電子ビューファインダモードであり、静止画撮影モードの時に、スルー画像をファインダ接眼窓３６から観察するモードである。制御部３５は、ＥＶＦモードが選択されることに応答して（Ｓ−１２）、図４に示すように、シャッタ２０が開き位置にセットされているか（Ｓ−１３）を確認する。もし、移動していない場合には、開き位置に強制的に移動させる。その後、制御部３５は、ミラー駆動機構２４を駆動してメインミラー１３をミラーアップ位置に移動する（Ｓ−１４）。これにより、撮影レンズ１１を通る被写体光は、撮像部２１の撮像面に結像する。制御部３５は、撮像部２１を駆動して、被写体像を撮像させる。撮像部２１で取得した画像データは、Ａ／Ｄ２７を介して画像処理部２８に送られる。
【００３３】
画像処理部２８は、画像データに対して縮小処理等を施して表示用画像データ（スルー画像データ）を生成する。生成した表示用画像データは、制御部３５を介してＥＬ表示制御部３２に送られる。ＥＬ表示制御部３２は、表示用画像（スルー画像）を透過型ＥＬ１６に表示する。また、制御部３５は、スルー画像にフォーカスエリアのマークを合成して表示するよう制御する（Ｓ−１５）。これにより、ファインダ接眼窓３６からは、スルー画像にフォーカスエリアのマークが重畳されて視認される（図３参照）。さらに、このとき、制御部３５は、黒色を透過型液晶表示部１５に表示するように液晶表示制御部３３を制御する。これにより、透過型液晶表示部１５は、遮光状態になる（Ｓ−１６）。このようになると、透過型ＥＬ１６の裏面から光が漏れて透過型ＥＬ１６で表示するスルー画像がメインミラー１３での反射によって観察し難くなることを防止することができる。
【００３４】
その後は、図２で説明したと同じに、制御部３５は、レリーズボタンの半押し操作を監視し（Ｓ−１７）、半押し操作が行われることに応答して、撮影準備動作を実行する（Ｓ−１８）。また、制御部３５は、撮影準備動作により決定したシャッタ速度と絞り値との撮影情報をスルー画像に合成して表示するようＥＬ表示制御部３２を制御する（Ｓ−１９）。これにより、ファインダ接眼窓３６からは、フォーカスエリアのマーク３８に加えて撮影情報、例えばシャッタ速度を表す「１／１０００」、及び絞り値を表す「Ｆ５．６」との英数字４０の画像とスルー画像とを合成した画像で視認される（図３参照）。
【００３５】
制御部３５は、半押し操作の状態からそのまま全押し操作（撮影指示操作）が行われることを監視し（Ｓ−２０）し、全押し操作が行われることに応答して、撮影動作が行われる（Ｓ−２１）。このＥＶＦモードでの撮影動作では、メインミラー１３がミラーアップ位置に移動したままであるため、メインミラー１３を跳ね上げる動作が省略される。よってシャッタ２０が開閉する間に取り込まれる被写体像を撮像部２１が撮像する。撮像部２１から得られる画像データは、Ａ／Ｄ２７を介して画像処理部２８に送られ、ここで種々の画像処理が施されてから、記録用画像データとして記録部２９に記録される（Ｓ−２２）。
【００３６】
なお、動画撮影モードについては、図５に示すように、ＥＶＦモードと略同じ動作手順であるので、ここでは、簡単に差異を説明し、詳しい説明を省略する。ＥＶＦモードとの違いとしては、ファインダ接眼窓３６から透過型ＥＬ１６に表示されるスルー画像を観察する状態で、「ＯＫボタン」を操作すると映像の録画動作開始になり（Ｓ−２４）、もう一度「ＯＫボタン」を操作すると録画動作停止となる（Ｓ−２５）。ＯＫボタンの操作は、レリーズボタンの半押し操作、又は全押し操作としてもよいし、別に設けた操作ボタンとしてもよい。
【００３７】
また、制御部３５は、スルー画像の中央にフォーカスエリアのマークをスルー画像に合成して表示するようＥＬ表示制御部３２を制御してもよいし（Ｓ−２６）、録画中に画面上部中央に赤いＲＥＣマークを点滅表示し、さらに、画面右上に残り録画時間のカウント数をスルー画像に合成して表示するよう制御してもよい（Ｓ−２７）。
【００３８】
上記実施形態では、遮光状態を生成する透過型液晶表示部１５を透過型ＥＬ１６の下に固定して設けているが、透過型液晶表示部１５をメインミラー１３の反射面に取り付けてもよい。この場合、メインミラー１３がミラーアップ位置に移動した時に、黒色を表示してメインミラー１３の反射面を遮光すればよい。
【００３９】
また、メインミラー１３の反射面に透過型ＥＬ１６を取り付けてもよい。この場合には、メインミラー１３がミラーアップ位置の時に、透過型ＥＬ１６の発光面が焦点面に一致するように設ける。この場合には、遮光用表示部を省略することができる。
【００４０】
さらに、上記各実施形態では、遮光状態を生成する透過型液晶表示部１５を固定して設けているが、本発明ではこれに限らず、不透過型の液晶表示部と、移動機構とを設けて液晶表示部を移動させるようにしてもよい。移動機構は、メインミラー１３がミラーアップ位置の時に、液晶表示部を透過型ＥＬ１６の下に挿入して遮光状態を生成し、また、メインミラー１３がミラーダウン位置の時に、液晶表示部を透過型ＥＬ１６の下から退避させる。メインミラー１３がミラーアップ位置の時には、透過型ＥＬ１６に表示されるスルー画像に重なるように、例えばフォーカスエリアのマークや撮影情報等の種々の情報を表示することができる。また、この例では、液晶表示部に限ることなく、不透過の表示部であればいずれのものでも使用することができる。また、この場合、不透過の表示部として弾性変形自在なものを用いることで、屈曲させて退避位置に移動させることができるため、狭いところでも退避スペースを確保でき、しかも退避スペースを小さくでき省スペース化を図ることができる。
【符号の説明】
【００４１】
１０  一眼レフ型電子カメラ
１１  撮影レンズ
１３  メインミラー
１５  透過型液晶表示部
１６  透過型ＥＬ
１７  焦点板
【図１】
2013054232.tif 000003
【図２】
2013054232.tif 000004
【図３】
2013054232.tif 000005
【図４】
2013054232.tif 000006
【図５】
2013054232.tif 000007